(57)【要約】【課題】  文字入力をより便利にすることが求められていた。【解決手段】  ユーザーから宛先入力欄への宛先の入力を受け付け（ステップＳ２０３，Ｓ３０１）、ユーザーからの宛先の入力が閾値以上途絶えたことに応じて（ステップＳ３１１，Ｓ３１５）宛先のプレビュー表示を行い（ステップＳ４０１）、プレビューを表示している状態で、ユーザーからの宛先の入力が再開したこと（ステップＳ４０３）に応じて、プレビュー表示を終了する（ステップＳ４０５)。【選択図】  図５
2019121244.tif 000002
【特許請求の範囲】
【請求項１】
ディスプレイと、
ユーザーの入力を受け付ける入力部と、
プロセッサーとを備えた印刷装置であって、
前記プロセッサーは、
ユーザーから宛先入力欄への宛先の入力を受け付け、ユーザーからの宛先の入力が閾値以上途絶えたことに応じて宛先のプレビュー表示を行い、プレビューを表示している状態で、ユーザーからの宛先の入力が再開したことに応じて、プレビュー表示を終了することを特徴とする印刷装置。
【請求項２】
プレビュー表示とは、宛先入力欄の上に重畳してプレビューを表示する処理であって、ユーザーの宛先の入力中よりもプレビューの透過度を低く表示する処理であることを特徴とする請求項１に記載の印刷装置。
【請求項３】
プロセッサーは、第１の時間をかけて徐々にプレビューの透過度を低くしていくことでプレビュー表示を開始し、第１の時間よりも短い第２の時間でプレビューの透過度を高くすることでプレビューの表示を終了することを特徴とする請求項２に記載の印刷装置。
【請求項４】
プレビュー表示する宛先は、ユーザーからの宛先の入力操作で変換を確定させたときに確定後の宛先に更新することを特徴とする請求項１〜請求項３のいずれかに記載の印刷装置。
【請求項５】
ユーザーからの宛先の入力操作で漢字変換が未確定の間は、プレビュー表示する宛先を変更しないことを特徴とする請求項１〜請求項４のいずれかに記載の印刷装置。
【請求項６】
入力操作が途絶えていないときのプレビューの透過度を時間経過に伴って変化させることを特徴とする請求項１〜請求項５のいずれかに記載の印刷装置。
【請求項７】
プレビュー表示は、ユーザーからの宛先の入力が途絶えていない状態でもプレビューを表示し、入力操作が途絶えたときのプレビューの透過度は、入力操作が途絶えていないときのプレビューの透過度よりも低いことを特徴とする請求項１〜請求項６のいずれかに記載の印刷装置。
【請求項８】
宛先の入力操作は、文字キーと、文字以外の所定のキーの操作を含むことを特徴とする請求項１〜請求項７のいずれかに記載の印刷装置。
【請求項９】
ディスプレイへ表示する機能と、
ユーザーの入力を受け付ける機能と、
プロセッサー機能とをコンピューターに実現させる文章入力プログラムであって、
前記プロセッサー機能は、
ユーザーから宛先入力欄への宛先の入力を受け付け、
ユーザーからの宛先の入力が閾値以上途絶えたことに応じて宛先のプレビュー表示を行い、プレビューを表示している状態で、ユーザーからの宛先の入力が再開したことに応じて、プレビュー表示を終了することを特徴とする文章入力プログラム。
【請求項１０】
文字データの入力を受け付ける入力部と、
文字データを受け付ける宛先入力欄の表示と、宛先の文字データに対応するプレビュー表示を行うディスプレイと、
前記入力部と前記ディスプレイを制御するプロセッサーと
を備えた印刷装置であって、
前記プロセッサーは、
ユーザーから前記宛先入力欄への宛先の入力を受け付け、ユーザーからの宛先の入力が閾値以上途絶えたことに応じて前記ディスプレイへの宛先のプレビュー表示を行い、プレビューを表示している状態で、ユーザーからの宛先の入力が再開したことに応じて、同プレビュー表示を終了することを特徴とする印刷装置。
【発明の詳細な説明】
【技術分野】
【０００１】
本発明は、宛名印刷に使用する印刷装置および文章入力プログラムに関する。
【背景技術】
【０００２】
はがきなどの宛名印刷に使用する印刷装置では、印刷前に印刷イメージを確認するプレビュー表示の機能を備えている。ユーザーは、宛名のデータの入力後、印刷前、プレビュー表示の操作を行うことで、実際にはがきに印刷を行う前に印刷イメージを確認できる。
すなわち、プレビュー表示は、ユーザーが自主的に操作することで初めて表示される。プレビュー表示については、特許文献１等に開示されている。
【先行技術文献】
【特許文献】
【０００３】
【特許文献１】特開２０１５−２２８０８８号公報
【発明の概要】
【発明が解決しようとする課題】
【０００４】
従来のものでは、ユーザーのプレビュー表示の操作を待ってプレビュー表示をしていた。従って、ユーザーがプレビュー表示を選択しないで次の宛先を入力してしまうこともあり、誤った宛先のまま印刷してしまうこともある。また、不慣れなユーザーはプレビューの操作自体に気が付かず、印刷をして初めて誤った宛先であることに気がつくこともあった。    
【０００５】
本発明は、文字入力をより便利にする印刷装置、文章入力プログラムを提供する。
【課題を解決するための手段】
【０００６】
上記目的を達成するため、請求項１にかかる発明は、ディスプレイと、ユーザーの入力を受け付ける入力部と、プロセッサーとを備えた印刷装置であって、前記プロセッサーは、ユーザーから宛先入力欄への宛先の入力を受け付け、ユーザーからの宛先の入力が閾値以上途絶えたことに応じて宛先のプレビュー表示を行い、プレビューを表示している状態で、ユーザーからの宛先の入力が再開したことに応じて、プレビュー表示を終了する構成としてある。
【０００７】
上記のように構成した請求項１にかかる発明においては、プロセッサーは、入力部を介してユーザーから宛先入力欄への宛先の入力を受け付ける。受け付けた宛先の入力結果は、宛先入力欄とその内容としてディスプレイに表示している。プロセッサーは、、ユーザーからの宛先の入力が閾値以上途絶えたか否かを検知している。ユーザーからの宛先の入力が閾値以上途絶えると、プロセッサーは、宛先のプレビュー表示を行う。また、プロセッサーは、ユーザーからの宛先の入力が再開したか否かを検知している。そして、プレビューを表示している状態で、ユーザーからの宛先の入力が再開したら、プロセッサーは、プレビュー表示を終了する。
【０００８】
通常、ユーザーは宛先入力欄へ宛先の入力を行うときにすべての入力を一気に終わらせることはないのが通常である。例えば、一部の入力後、続きを入力する前に所定時間だけ入力が途絶えることがある。
プロセッサーは、このように入力が途絶えた状態が所定の閾値時間以上継続したことを検知すると、プレビュー表示を行う。ユーザーは、特段の操作をすることなく、入力中にその入力結果に基づくプレビュー表示を見れることになる。
【０００９】
入力は終了していないので、ユーザーが続きを入力しようと再開する。すると、プロセッサーは、入力の再開を検知するので、プレビュー表示を終了し、宛先入力欄を表示している状態に戻る。このため、ユーザーは現在の入力結果に基づくプレビュー表示を、入力が完了する前に視認できる。また、入力操作を再開する操作も不要であり、入力操作が中断されるということもない。
【発明の効果】
【００１０】
本発明によれば、宛先の入力が途絶えたら自動的にプレビュー表示され、印刷イメージを確認できるため、必要であれば入力した宛先を修正することができる。多くの場合は宛先の入力操作が途絶えることは多々あり、そのたびに印刷イメージを表示するので誤りに気づきやすくなる。
すなわち、ユーザーの操作を待つことなく、かつ、入力操作を中断させることなく、プレビュー表示を行って入力誤りなどを未然に防ぐことができる。
【図面の簡単な説明】
【００１１】
【図１】本発明が適用される印刷装置の概略ブロック図である。
【図２】同印刷装置の斜視図である。
【図３】印刷装置のメイン処理のフローチャートである。
【図４】同印刷装置における文字入力画面表示のフローチャートである。
【図５】同印刷装置における重ね合わせ画面切り替え処理のフローチャートである。
【図６】同印刷装置における宛名プレビュー画面表示の処理のフローチャートである。
【図７】同印刷装置における画面表示の移り変わりを示す画面表示の図である。
【図８】同印刷装置における文字入力が途絶えなくても変動を開始する処理のフローチャートである。
【発明を実施するための形態】
【００１２】
（第１の実施形態）
以下、図面にもとづいて本発明の実施形態を説明する。
図１は、本発明の一実施形態にかかる印刷装置をブロック図により示しており、また、図２は同印刷装置を斜視図により示している。
同図において、印刷装置１０は、本体２０と、液晶パネル（ディスプレイ）３０と、キーボード４０とを備えている。本体２０は、さらに制御部２１と、入力制御部２２と、印刷機構２３と、宛名データベース２４と、タイマー制御部２５と、透過率制御部２６とを備えている。
【００１３】
キーボード４０は、一体あるいは別体のハードウェアキーボードであってもよいし、液晶パネル３０がタッチパネル機能を備えているのであれば、液晶パネル３０上にキーボードを表示しつつタッチ操作をキーボード入力として反映させるソフトウェアキーボードであってもよい。
ユーザーがキーボード４０を操作すると、制御部２１は入力制御部２２を介して同操作を取得する。ユーザーが宛名を入力すると、制御部２１は宛名データベース２４に追加、更新、削除を行う。入力された宛名は、制御部２１が液晶パネル３０に表示し、また、キーボード４０からの所定の操作に対応して印刷機構２３を制御してはがきや封筒に宛名書きを実行させる。制御部２１は、各種の制御を実現するためにＣＰＵ（ＡＳＩＣでも良いし、ＣＰＵとＡＳＩＣとの協働でも良い）、ＲＯＭ、ＲＡＭ、インターフェイスなどを備えているが、それらを集積回路として実現している。また、液晶パネル３０、キーボード４０、入力制御部２２、印刷機構２３のそれぞれも、独自の制御回路やインターフェイスを備えている。
【００１４】
タイマー制御部２５は、独自に経時機能を実現しており、所定のパラメーターを設定することで、該当する時間をカウントダウンあるいはカウントアップし、経時後に制御部２１に通知するといった処理を実現できる。
透過率制御部２６は、液晶パネル３０に表示する画面の透過率を制御するものであり、制御部２１は同透過率制御部２６に対して所定のパラメーターを設定すると、同透過率制御部２６は設定されたパラメーターに従って制御部２１から独立して所定の画面の透過率を制御することができる。
なお、前記ブロック図は、機能に着目して図示しているだけであり、実際の構成では、各種の細分化や変更などは当然なし得る。
【００１５】
図３は、印刷装置のメイン処理のフローチャートである。
一例として、制御部２１は、ステップＳ１０１にて電源オンを待機し、電源がオンとされると、ステップＳ１０２でメニューを液晶パネル３０に表示する。一つの機能として宛名入力が用意されており、宛名入力を選択する操作がなされると、制御部２１は、ステップＳ１０３にて同操作を取得して判断し、続くステップＳ１０４では、宛名データベース２４を参照して入力済みの宛名を取得するのか、新規に宛名を追加入力する操作なのかを判断する。後者であれば、ステップＳ１０５でキーボード４０からの操作入力を受け付け、ステップＳ１０６にて宛名データベース２４に反映させる。宛名データベース２４に反映させつつ、ステップＳ１０８にて入力した宛名をプレビュー表示させるか否かを問い合わせ、ユーザーがプレビュー表示を希望すれば、ステップＳ１０９にてプレビュー表示を行う。その後、ステップＳ１１０にて宛名入力を終了するか否かをユーザーに問い合わせ、宛名入力を終了しないことを希望する場合は、ステップＳ１０５に戻って宛名の操作入力を受け付ける。宛名入力を終了することを希望する場合は、ステップＳ１０２に戻ってメニューの表示を行う。
【００１６】
なお、各操作の問い合わせは、ポップアップ表示で問い合わせることも可能であるし、各操作に対応するボタンを表示しておき、同ボタンをクリックするなどの操作の有無を検知するようにしてもよい。
【００１７】
宛名データベース２４を参照して入力済みの宛名を取得することを選択した場合、ステップＳ１０７にて宛名データベース２４を参照して所定の宛名データを取得する。一例として、検索メニューを表示して該当するものをリストアップし、リストアップされた宛名データの中から選択させるようにすることが可能である。そして、選択された宛名データはステップＳ１０８以降において、上述したような入力済みの宛名データと同様にプレビュー表示の対象となる。なお、選択された宛名データを修正する処理をするために、ステップＳ１０５にて宛名データを編集させるようにしてもよい。
【００１８】
ユーザーが、メニュー表示の中から、プレビューと印刷を選択すると、制御部２１は、ステップＳ１１１にて、この選択を検知し、ステップＳ１１２にてプレビューを表示する。この状態で、ユーザーがさらに印刷開始を選択すると、ステップＳ１１３にて同判断を検知し、ステップＳ１１５にて印刷を行う。印刷開始を選択しない場合は、ステップＳ１０２に戻ってメニューの表示を行う。
【００１９】
ユーザーが、メニュー表示の中から、印刷を選択すると、制御部２１は、ステップＳ１０３，Ｓ１１１の判断を経て、この選択を検知し、ステップＳ１１５にて印刷を行う。
以上の処理は、一例に過ぎず、各種の変更が可能である。例えば、宛名の入力と、プレビューと、印刷は、互いに行き来できるようにしてもよい。ステップＳ１０５にて宛名を入力し、ステップＳ１０９にてプレビューをした後、修正するためにステップＳ１０５の宛名入力に戻るが、再度、ステップＳ１０９にてプレビューをし、その状態で印刷したいと思えば、ステップＳ１１５の印刷を実行するようにしてもよい。また、ステップＳ１１２にてプレビューをしたとき、印刷を開始せずにステップＳ１０５にて宛名データを編集し、その後、プレビューを経て印刷させるようにしてもよい。
むろん、これらは実際の処理の一例に過ぎず、他の機能を実現していたり、別の手法で同等の処理を実現していてもかまわない。
【００２０】
ステップＳ１１５の印刷処理、あるいはステップＳ１０９，Ｓ１１２のプレビューにおいては、印刷イメージを作成する必要がある。両者において共通するのは、はがきの宛名面に用意されている印刷領域に宛名データに対応するフォントデータを用いて印刷イメージを描画する処理である。表示用の処理と印刷用の処理は完全な一致ではないものの概ね一致しているので、以下において、便宜上、共通の処理として説明する。
【００２１】
印刷イメージを描画する際に、所定の印刷領域に描画する文字サイズを決定する処理が必要となる。なお、印刷領域をはがきなどの印刷媒体におけるある領域とした場合、印刷するためにはこの領域に重なるテキストボックスを設定し、テキストボックス内にフォントデータを展開して印刷イメージを描画する。一つの印刷領域に対して、一つのテキストボックスを設定しても良いし、複数のテキストボックスを用意して重畳印刷させることも可能である。
【００２２】
上述した一般的なフローに従えば、プレビュー表示は、ユーザーが自主的にプレビュー表示を選択したタイミングで実行される。しかし、本実施形態では、ユーザーによる明示の操作が行われなくてもプレビュー表示を行う。
【００２３】
図４は、同印刷装置における文字入力画面を表示するフローチャートである。
この文字入力画面表示の処理では、制御部２１は、ステップＳ２０１にて文字入力画面を表示する。次に、制御部２１はステップＳ２０３にてユーザーがキーボードで文字入力したか判断する。文字入力されるまではステップＳ２０３に戻り、ループ処理で待機している。そして、ユーザーがキーボードで文字入力すると、制御部２１は、ステップＳ２０５にて、重ね合わせ画面切り替え処理へ移行させる。
【００２４】
図５は、同印刷装置における重ね合わせ画面切り替え処理のフローチャートである。
この重ね合わせ画面切り替え処理では、ユーザーがキーボードで文字入力したのを受け、制御部２１は、ステップＳ３０１にて文字入力画面に入力制御部２２から文字データを入力し、それを変換したかなを表示する。なお、ステップＳ２０１，Ｓ２０３，Ｓ３０１，Ｓ３０３，Ｓ３０５の処理で宛名の文字を入力しているから、これらの処理が「ユーザーから宛先入力欄への宛先の入力を受け付け」る処理に相当する。
【００２５】
通常、キーボード４０からの文字入力だけでは変換は確定せず、ユーザーが個別に確定させる操作あるいは確定を了承する意味での次の文字の入力が必要である。制御部２１は、ステップＳ３０３にて、ユーザーがキーボード４０で文字入力を確定したか判断し、確定させるまでループ処理で待機する。確定したときはこのループ処理を抜け、制御部２１は、ステップＳ３０５にて、文字入力画面の文字を確定文字にする。上述したように、現在の液晶パネル３０の表示は文字入力画面である。より具体的には、宛名の入力画面である。
【００２６】
次に、制御部２１は、ステップＳ３０７にて、宛名プレビューに確定文字を挿入する。宛名プレビューは後述する宛名面のプレビュー表示のことである。プレビュー表示するためには、予め文字データが入力されている必要がある。同文字データに基いて宛名面上でフォントデータを展開する必要があるからである。ただし、宛名プレビューに確定文字を挿入しても直ちに宛名プレビューが表示されるわけではない。
【００２７】
制御部２１は、ステップＳ３０９にて、タイマーを設定する。より具体的にはタイマー制御部２５に対して時間Ｔ０に対応するパラメーターを設定し、ステップＳ３１１にて、タイマー制御部２５からの通知の有無に基づいてタイムアウト経過したか否かを判断する。タイムアウト経過していない場合は、ステップＳ３１５にて、入力制御部２２を介してキー入力されたか否かを判断する。キー入力されていない場合は、ステップＳ３１１へ戻ってループ処理する。
【００２８】
すなわち、タイムアウト経過する前に文字入力がされたら、制御部２１はステップＳ３１７にてタイマーを解除するが、文字入力される前にタイムアウト経過したら、制御部２１は、ステップＳ３１３にて、宛名プレビュー画面に切り替える。このようになるのは、ユーザーが文字入力中に一定時間だけ文字入力を中断した場合である。言い換えると、「ユーザーからの宛先の入力が閾値以上途絶えた」状態を検知しており、ステップＳ３１１，Ｓ３１３，Ｓ３１５，Ｓ３１７の処理がこれらの処理に相当する。入力作業中は様々な要因で文字入力を中断することがあるが、このときにプレビュー画面を表示するきっかけとなる。
【００２９】
図６は、同印刷装置における宛名プレビュー画面表示の処理のフローチャートである。  この宛名プレビュー画面表示の処理では、制御部２１は、ステップＳ４０１にて、宛名プレビュー画面を表示する。このとき透過率の遷移時間Ｔ１を設定している。すなわち、遷移時間Ｔ１をかけて遷移する。当初、宛名の入力画面が表示されており、プレビューの画面のレイヤーは宛名の入力画面のレイヤーの上に配置されている。宛名の入力画面が視認でき、プレビューの画面を見えなくするためには、プレビューの画面の透過率を１００％あるいはそれに近い状態にしておく。そして、遷移時間Ｔ１をかけて透過率を０％にする。
【００３０】
このように、プレビュー表示とは、宛先入力欄の上に重畳してプレビューを表示する処理であって、ユーザーの宛先の入力中よりもプレビューの透過度を低く表示する処理である。
また、文字入力を確定したときにだけ、ステップＳ３０５以下を実施するので、未確定である間は文字入力が中断したとしてもプレビュー表示は行わないようにしている。ステップＳ３０５のように、プレビュー表示する宛先は、ユーザーからの宛先の入力操作で変換を確定させたときに確定後の宛先に更新する。プレビュー表示の画面は宛名の入力画面とは異なるので、完全に同期する必要もないが、相互にずれが大きいと印刷イメージの確認にならない。このため、文字入力の確定時にそのイメージでプレビュー表示の画面を決める。そして、ユーザーからの宛先の入力操作で漢字変換が未確定の間は、プレビュー表示する宛先を変更しないようにしている。
【００３１】
ステップＳ４０１にて、宛名プレビューを開始したら、制御部２１はステップＳ４０３にて、ユーザーがキーボードで文字入力したか判断する。ユーザーは、文字入力の作業中に文字入力が一定時間だけ途絶えたときに自動的にプレビュー表示を視認できる。これにより、印刷時のイメージを把握できる。宛名自体が間違っているか否かに加え、宛名は正しいもののはがきなどの印刷面では文字を少し大きくしたいとか、改行位置を変えた方が良いかといったことも確認できる。
【００３２】
しかし、現在は文字入力の作業中であり、引き続き文字入力を行って入力を完了させる必要がある。このときに、ユーザーは文字入力に戻るための操作をする必要はなく、単に文字入力を開始すればよい。文字入力を開始すると、制御部２１はステップＳ４０３にて検知し、ステップＳ４０５にて、文字入力画面表示（ステップＳ２０１）に切り替える。すなわち、ステップＳ４０３，Ｓ４０５の処理は、「プレビューを表示している状態で、ユーザーからの宛先の入力が再開したことに応じて、プレビュー表示を終了すること」に相当する。
【００３３】
プレビュー表示を終了するときの透過率の遷移に要する時間は遷移時間Ｔ２である。本実施形態では、遷移時間Ｔ１は、遷移時間Ｔ２よりも大きくしている。視覚的には一定時間だけ文字入力が途絶えるとゆっくりと透過率が変化していってプレビュー表示が現れる。そして、文字入力を再開するときにはすぐに透過率が１００％まで遷移するという具合である。従って、遷移時間Ｔ２は極めて短い方が好ましい。すなわち、第１の時間をかけて徐々にプレビューの透過度を低くしていくことでプレビュー表示を開始し、第１の時間よりも短い第２の時間でプレビューの透過度を高くすることでプレビューの表示を終了する。ただし、これは好みにも依存するので、状況に応じて遷移時間Ｔ１，Ｔ２を設定すればよい。
【００３４】
図７は、本印刷装置における画面表示の移り変わりを示す画面表示を示す図である。
図７Ａは宛名の入力画面であり、図７Ｄは宛名プレビュー画面である。図７Ｂと図７Ｃは遷移中の画面であり、図７Ｂは、宛名の入力画面の方が宛名プレビュー画面よりもはっきりと見え、図７Ｃは、宛名の入力画面よりも宛名プレビュー画面の方がよりはっきりと見える状態である。
【００３５】
例えば、図７Ａの場合、宛名プレビュー画面の透過率は１００％であり、図７Ｄの場合、宛名プレビュー画面の透過率は０％である。遷移途中の図７Ｂは、宛名プレビュー画面の透過率は６０％であり、図７Ｃは４０％である。宛名の入力画面と宛名プレビュー画面の透過率については相対的なものであり、宛名の入力画面のレイヤーが上の場合は、宛名の入力画面の透過率を変えることで同様の視覚的効果を得られる。例えば、図７Ａの場合、宛名の入力画面の透過率は０％であり、図７Ｄの場合、宛名の入力画面の透過率は１００％とするのとほぼ同じである。
【００３６】
（第２の実施形態）
図８は、本印刷装置における文字入力が途絶えなくても変動を開始する処理のフローチャートである。
この実施形態では、制御部２１は、ステップＳ５０１にて文字入力画面を表示し、プレビュー画面の透過率を、次式に基づいて変動させる。
プレビュー画面の透過率＝（１００−５０＊（（sin（ｔ）＋１)／２））
【００３７】
なお、ｔは時間に依存する変数を表し、０〜２πの間で変動する。
本式によれば、プレビュー画面の透過率は、５０〜１００％の間で変動する。透過率５０％でうっすらを表示され、徐々に透過率１００％となって見えなくなり、再び、透過率５０％まで上昇することを繰り返す。むろん、このようなサインカーブになる変動以外であっても構わない。このような透過率の変動は、透過率制御部２６が実施する。
【００３８】
文字入力画面が表示されている状態で、文字入力の有無にかかわらず、宛名の入力画面の裏でプレビュー表示が現れたり消えたりしている。
制御部２１は、Ｓ５０３にて、ユーザーがキーボードで文字入力したか判断しており、文字入力を検知すると、ステップＳ５０５にて、重ね合わせ画面切り替えへ移行し、上述した第１の実施形態と同様の処理を行う。すなわち、文字入力後は、確定の処理を待ち、その後、入力が途絶えたらプレビュー表示に移行する。
【００３９】
このように文字入力が途絶えなくても常にプレビュー表示が変動して表示されることで、入力前にも文字入力結果が印刷イメージとして表示され、ユーザーにこの事を意識させて文字入力を行わせることができる。また、操作に不慣れなユーザーもプレビューの機能を理解できるようになる。
なお、ステップＳ２０１において、宛名の入力画面の際にプレビューの画面の透過率を１００％に近い状態にしておけば、文字入力中も薄っすらとプレビューの表示はされていることになる。従って、プレビュー表示の濃度を変動させなくても、プレビューを意識させるようにすることも可能である。
【００４０】
このように、本実施形態では、ユーザーからの宛先の入力が途絶えていない状態でもプレビューを表示し、入力操作が途絶えたときにもプレビュー表示を行う。この場合、両者の透過率を変えるようにしてもよい。ユーザーからの宛先の入力が途絶えていない状態でのプレビュー表示はより薄いものとしておき、入力操作が途絶えたときのプレビューの表示はこれよりも濃く表示する。入力操作が途絶える前は入力操作をしているので、その操作を煩わしくさせないようにするためである。すなわち、プレビュー表示は、ユーザーからの宛先の入力が途絶えていない状態でもプレビューを表示し、入力操作が途絶えたときのプレビューの透過度は、入力操作が途絶えていないときのプレビューの透過度よりも低くする。むろん、一致したり、変動する場合は重なる領域があってもかまわないが、相対的に入力操作が途絶えていないときのプレビューの透過度が高い方が良いといえる。
【００４１】
（その他の変形例）
上述した実施形態では、ユーザーからの文字入力の有無に基づいて判断している処理があるが、文字入力というのは、ローマ字変換やかな変換における文字や数字の入力に限られない。このように、宛先の入力操作は、文字キーと、文字以外の所定のキーの操作を含んでいる。
文字種に応じて、本実施形態では、以下のように制御している。
【００４２】
改行キー、OKキーは、文字入力キーの操作と同様にプレビュー表示を終えて宛名の入力画面に戻る。
削除キー、後退キー、前頁キー、後頁キー、シフトキー、上下左右キーは、プレビュー表示を終えて宛名の入力画面に戻り、本来の機能はさせない。
宛名面見本キーは、プレビュー表示を維持する。
戻るキー、ヘルプキー、ホームキー、保存して次へキー、登録キー、消去キーは、プレビュー表示を終えて宛名の入力画面に戻った後、本来の機能をさせる。
なお、上述した各フローチャートは、文章入力プログラムに相当する。
【００４３】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、宛名以外の文字入力に適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４４】
１０…印刷装置、２０…本体、２１…制御部、２２…入力制御部、２３…印刷機構、２４…宛名データベース、２５…タイマー制御部、２６…透過率制御部、３０…液晶パネル（ディスプレイ）、４０…キーボード。
【図１】
2019121244.tif 000003
【図２】
2019121244.tif 000004
【図３】
2019121244.tif 000005
【図４】
2019121244.tif 000006
【図５】
2019121244.tif 000007
【図６】
2019121244.tif 000008
【図７】
2019121244.tif 000009
【図８】
2019121244.tif 000010